(57)【要約】　【課題】　マルチキャリア受信において、簡単かつ精度良く周波数相関帯域幅を定め、全体の演算量を削減する技術を提供する。　【解決手段】　受信レベルの周波数分布を求め、周波数分布におけるピークとピークとの間隔、ディップとディップの間隔、あるいは、閾値との交点同士の間隔に基づいて周波数相関帯域幅を定める。受信開始時に、周波数相関帯域幅を定めるトレーニングモード期間を設け、トレーニングモード期間終了後に、トレーニングモードで定めた周波数相関帯域幅に従って、信号を受信する。フーリエ変換等演算量が多い処理を避けながら、精度良く周波数相関帯域幅を定め、ダイバーシチ受信処理全体の演算量を削減できる。【選択図】　図１
2004147299.tif 000002
【特許請求の範囲】
【請求項１】
周波数相関帯域幅を、受信レベルの周波数分布に基づいて定めるステップを含むサブバンド分割ダイバーシチ受信方法。
【請求項２】
受信レベルの周波数分布を求めるステップと、
　前記周波数分布におけるピークとピークとの間隔及び／又はディップとディップとの間隔に基づいて周波数相関帯域幅を定めるステップとを含むサブバンド分割ダイバーシチ受信方法。
【請求項３】
受信レベルの周波数分布を求めるステップと、
　前記周波数分布における受信レベルと閾値との交点同士の間隔に基づいて周波数相関帯域幅を定めるステップとを含むサブバンド分割ダイバーシチ受信方法。
【請求項４】
複数のアンテナから、受信レベルの高いアンテナを選択してダイバーシチを行うダイバーシチ受信方法であって、
　マルチキャリア方式による信号を受信するステップと、
　周波数相関帯域幅により周波数領域をサブバンドに分割するステップと、
　サブバンド毎に各アンテナの受信レベルを比較し受信レベルの高いアンテナを選択してダイバーシチを行うステップとを含み、
　受信開始時に、前記周波数相関帯域幅を定めるトレーニングモード期間を設け、
　トレーニングモード期間終了後に、トレーニングモードで定めた前記周波数相関帯域幅に従って、信号を受信する、ダイバーシチ受信方法。
【請求項５】
前記周波数相関帯域幅は、受信レベルの周波数分布に基づいて定められる、請求項４記載のダイバーシチ受信方法。
【請求項６】
前記周波数相関帯域幅は、周波数の相関係数が０．５以上となる周波数幅である、請求項４から請求項５記載のダイバーシチ受信方法。
【請求項７】
前記周波数相関帯域幅は、受信レベルの周波数分布におけるピークとピークの間隔及び／又はディップとディップの間隔に基づいて定められる、請求項４から請求項６記載のダイバーシチ受信方法。
【請求項８】
前記周波数相関帯域幅は、受信レベルの周波数分布におけるピークとピークの間隔の半分及び／又はディップとディップの間隔の半分である、請求項４から請求項７記載のダイバーシチ受信方法。
【請求項９】
前記周波数相関帯域幅は、受信レベルの周波数分布と、受信レベルの閾値との、交点同士の間隔に基づいて定められる、請求項４から請求項６記載のダイバーシチ受信方法。
【請求項１０】
前記周波数相関帯域幅は、受信レベルの周波数分布と、受信レベルの閾値との、交点同士の間隔の平均値、又は受信レベルの周波数分布と、受信レベルの閾値との、交点同士の間隔の中央値のいずれかである、請求項４から請求項６又は請求項９記載のダイバーシチ受信方法。
【請求項１１】
前記閾値は、前記信号を構成する全サブキャリアの受信レベルの平均値、中央値、最大値、最小値のうち、一種又は二種以上の組み合わせに基づいて定められる、請求項９から１０記載のダイバーシチ受信方法。
【請求項１２】
複数のアンテナと、
　前記アンテナが受信する信号の情報を周波数領域に変換する時間−周波数変換手段と、
　前記アンテナの受信レベルを検出するレベル検出手段と、
　前記レベル検出手段が検出した受信レベル由来の情報に基づいて、周波数相関帯域幅を定める周波数相関帯域幅演算手段と、
　前記周波数相関帯域幅演算手段が定めた周波数相関帯域幅に基づき、サブバンド分割帯域幅を決定し、周波数領域をサブバンドに分割するサブバンド分割演算手段と、
　サブバンド毎に、前記レベル検出手段が検出した受信レベルを比較する受信レベル比較手段と、
　前記受信レベル比較手段の比較結果において、受信レベルがより大きいアンテナを選択する選択手段とを備える、ダイバーシチ受信装置。
【請求項１３】
受信レベルの周波数分布における、ピークとピークの間隔及び／又はディップとディップの間隔を計算する間隔演算手段を、さらに備え、
　前記周波数相関帯域幅演算手段は、前記間隔演算手段が計算した間隔に基づいて、周波数相関帯域幅を定める、請求項１２記載のダイバーシチ受信装置。
【請求項１４】
受信レベルの周波数分布と、受信レベルの閾値との、交点同士の間隔を計算する閾値比較手段を、さらに備え、
　前記周波数相関帯域幅演算手段は、前記閾値比較手段が計算した、交点同士の間隔に基づいて、周波数相関帯域幅を定める、請求項１１記載のダイバーシチ受信装置。
【請求項１５】
前記閾値は、前記信号を構成する全サブキャリアの受信レベルの平均値、中央値、最大値、最小値のうち、一種又は二種以上の組み合わせに基づいて定められる、請求項１４記載のダイバーシチ受信装置。
【発明の詳細な説明】
【技術分野】
【０００１】
　本発明は、周波数相関帯域幅を簡単に近似する方法、及び、マルチキャリア方式による信号を受信し、サブバンド分割アンテナダイバーシチを用いて周波数選択性フェージングの影響を軽減し、通信性能の向上させる、ダイバーシチ受信方法及びその装置に関するものである。
【背景技術】
【０００２】
　情報の高速伝送化が進む現在、それを実現可能なマルチキャリア方式が注目されている。
【０００３】
　マルチキャリア方式とは、情報を複数のサブキャリアに分けて周波数軸上でパラレルに伝送する方式であり、これによれば、高速伝送が可能である。しかしながら、高速伝送を行うには、広帯域な周波数帯域幅が必要になる。
【０００４】
　一方、マルチパスが発生する環境では、フェージングが発生するが、このフェージングは、通信品質を劣化要因となる。
【０００５】
　特に、広帯域なマルチキャリア方式では、周波数帯域幅内の一部の受信レベルが極端に低下する周波数選択性フェージングの影響が問題になる。
【０００６】
　この問題を解決する手段として、（第１例）図１４に示すように、サブキャリア毎ダイバーシチを用いたダイバーシチ受信装置と、（第２例）図１５に示すように、サブバンド分割ダイバーシチを用いたダイバーシチ受信装置とが、提案されている。
【０００７】
　ここで、（第１例）における、サブキャリア毎ダイバーシチとは、受信した信号をサブキャリア毎に受信レベルを比較して、ダイバーシチを行うものである。
【０００８】
　具体的には、図１４に示すように、このダイバーシチ受信装置は、複数のアンテナ１、２を有する。
【０００９】
　これらのアンテナ１、２の後段に設けられる、時間−周波数変換手段３、４は、アンテナ１、２がそれぞれ受信する信号の情報を周波数領域に変換する。なお、時間−周波数変換手段３、４はＯＦＤＭ（Ｏｒｔｈｏｇｏｎａｌ　Ｆｒｅｑｅｎｃｙ　Ｄｉｖｉｓｉｏｎ　Ｍｕｌｔｉｐｌｅｘ：直交周波数分割多重）等の二次変調を復調するものであり、復調の結果、受信レベルの振幅及び位相を知ることができる。
【００１０】
　また、レベル検出手段６、７はアンテナ１、２のそれぞれの受信レベルを検出する。
【００１１】
　受信レベル比較手段８は、サブキャリア毎に、レベル検出手段６、７が検出した受信レベルを比較する。
【００１２】
　選択手段５は、受信レベル比較手段８の比較結果において、受信レベルがより大きいアンテナを選択する。
【００１３】
　復調手段９は、選択手段５が選択したアンテナの系による、信号（ＱＡＭ（Ｑｕａｄｒａｔｕｒｅ　Ａｍｐｌｉｔｕｄｅ　Ｍｏｄｕｌａｔｉｏｎ）、ＱＰＳＫ（Ｑｕａｄｒｉｐｈａｓｅ　Ｓｈｉｆｔ　Ｋｅｙｉｎｇ）、ＢＰＳＫ（Ｂｉｎａｒｙ　Ｐｈａｓｅ　Ｓｈｉｆｔ　Ｋｅｙｉｎｇ）等）の一次変調を復調し、デジタルデータを出力する。
【００１４】
　また、（第２例）における、サブバンド分割ダイバーシチとは、受信した信号を周波数軸上で複数のサブバンドに分割し、それぞれのサブバンド毎に受信レベルを比較してダイバーシチを行うものである。
【００１５】
　具体的には、図１５に示すように、このダイバーシチ受信装置は、次の要素を有する。但し、図１４と同様の要素については、同一符号を付すことにより、説明を省略する。
【００１６】
　時間−周波数変換手段３、４の後段にそれぞれ設けられる、サブバンド分割手段１０、１１は、予め定められたサブバンド分割幅により、周波数領域をサブバンドに分割する。
【００１７】
　また、受信レベル比較手段８は、サブバンド毎に、レベル検出手段６、７が検出した受信レベルを比較する。
【００１８】
　サブバンド分割ダイバーシチのサブバンド分割幅は、周波数相関が高い幅でなれければ、ダイバーシチの効果が十分に得られない。周波数相関が高い幅を表すパラメータの１つに周波数相関帯域幅がある。これは、周波数の相関が「０．５」以上になる周波数幅である。
【００１９】
　従来の周波数相関帯域幅の求め方には、遅延スプレッドから求める方法と、周波数毎に直接周波数相関を求め周波数相関帯域幅を計算する方法とがある。
【００２０】
　遅延スプレッドから求める方法によると、まず遅延プロファイルが求められ、その結果から次式を用いて遅延スプレッドが求められる。また、遅延プロファイルについて、図１６（ａ）に示すインパルス応答を用いて、図１６（ｂ）に示すような遅延プロファイルを求める方法と、図１７（ａ）に示すような受信スペクトラム（送信側が周波数をスイープさせながら送信した信号を受信したもの）をフーリエ変換して遅延プロファイルに変換する方法とがある。
【００２１】
【数１】
2004147299.tif 000003
【００２２】
　さらに、遅延プロファイルの形状が、図１８に示すように、一般的な指数関数型の場合は、周波数相関帯域幅は、次式により、求めることが出来る。
【００２３】
【数２】
2004147299.tif 000004
【００２４】
　一方、周波数毎に直接周波数相関を求め周波数相関帯域幅を計算するには、図１９に示すように、受信信号強度の波形を計測し、周波数毎に基準周波数と相関係数を求め、図２０に示すように、相関係数が「０．５」になる周波数幅を相関帯域幅として求める。
【非特許文献１】「無線通信の電波伝搬」進士昌明　編著、社団法人電子情報通信学会、平成４年２月２０日初版発行（第２０８−２１２頁）
【非特許文献２】「電波伝搬ハンドブック」細矢良雄　著、ＲＥＡＬＩＺＥ．ＩＮＣ（第１３３−１３８頁）
【発明の開示】
【発明が解決しようとする課題】
【００２５】
　上述の各例では、次のような問題がある。
【００２６】
　まず、（第１例）では、サブキャリア毎に受信レベルの比較を行うので、ダイバーシチの効果は高い。しかしながら、全サブキャリア毎に比較作業を行わなければならないので、計算量が膨大になり、システム資源の負担が大きい。
【００２７】
　また、（第２例）では、周波数帯域を複数のサブバンドに分割しており、１つのサブバンドは、複数のサブキャリアを含むので、サブキャリアをいくつかまとめてダイバーシチを行うことができ、（第１例）よりも、計算量を削減できる。
【００２８】
　しかしながら、サブバンド分割幅内で周波数相関が高くなければ、ダイバーシチの効果が減少してしまう。従って、計算量を減らし、さらにダイバーシチの効果も高く保つには、周波数相関が高い幅でサブバンドに分割する必要がある。
【００２９】
　周波数相関が高い幅は、周波数相関帯域幅を利用して求めることができる。周波数相関帯域幅を求めるには、上述したように、遅延プロファイルから求める方法と周波数毎に直接周波数相関を求める方法とがある。
【００３０】
　遅延プロファイルから求める方法によると、インパルス応答を測定し遅延プロファイルを算出するか、または、送信信号をスイープさせながら、その信号を受信した受信スペクトラムを測定し、その結果をフーリエ変換等を用いて遅延プロファイルに変換する必要がある。さらに、遅延プロファイルから遅延スプレッドを求め、その結果から周波数相関帯域幅を求める必要があり、複雑な受信構造が必要になる。即ち、計算量が膨大になり、実現困難である。
【００３１】
　また、周波数毎に直接周波数相関を求める方法によると、受信信号強度の受信位置による分布を求めざるを得ず、そのために、ダイバーシチ受信装置を移動させることが必須となり、現実的でない。
【００３２】
　そこで本発明は、周波数相関が高い周波数幅として、周波数相関帯域幅を利用し、インパルス応答や、周波数をスイープさせながら送信して受信した周波数分布をフーリエ変換等で遅延プロファイルに変換することなく、より簡単でかつ実用的に周波数相関帯域幅を定める技術を提供することを目的とする。
【課題を解決するための手段】
【００３３】
　第１の発明に係るダイバーシチ受信方法では、周波数相関帯域幅を、受信レベルの周波数分布に基づいて定めるステップを含む。
【００３４】
　この構成によれば、遅延プロファイルから周波数相関帯域幅を求める方法による場合に比べ、フーリエ変換等が不要となり、周波数相関帯域幅を求めるための計算量を大幅に削減できる。
【００３５】
　また、周波数毎に直接周波数相関を求める方法による場合に比べ、ダイバーシチ受信装置の移動が不要となるため、実現性が高い。
【００３６】
　さらに、本発明者らの検討によれば、以上のように簡単に周波数相関帯域幅を定めても、十分な精度が得られることがわかっている。
【００３７】
　結局、この構成によれば、より少ない演算量でかつ十分な精度を持つ周波数相関帯域幅を定めることができる。
【００３８】
　第２の発明に係るダイバーシチ受信方法では、マルチキャリア方式による信号を受信するステップと、周波数相関帯域幅により周波数領域をサブバンドに分割するステップと、サブバンド毎に各アンテナの受信レベルを比較し受信レベルの高いアンテナを選択してダイバーシチを行うステップとを含み、受信開始時に、周波数相関帯域幅を定めるトレーニングモード期間を設け、トレーニングモード期間終了後に、トレーニングモード期間で定めた周波数相関帯域幅に従って、信号を受信する。
【００３９】
　この構成において、トレーニングモード期間内に、周波数相関帯域幅を定めているため、トレーニングモード期間終了後において、ダイバーシチの効果を維持することができる。しかも、トレーニングモード期間終了後は、周波数相関帯域幅により、複数のサブキャリアを束ねて処理を行うことができ、計算量を、全体として大幅に削減できる。
【００４０】
　第３の発明に係るダイバーシチ受信方法では、周波数相関帯域幅は、相関係数が０．５以上となる周波数幅である。
【００４１】
　この構成により、サブバンド分割幅は、常に、周波数相関の高い周波数相関帯域幅となり、ダイバーシチの効果を維持できる。
【００４２】
　第４の発明に係るダイバーシチ受信方法では、周波数相関帯域幅は、受信レベルの周波数分布のピークとピークの間隔及び／又はディップとディップの間隔に基づいて定められる。
【００４３】
　第５の発明に係るダイバーシチ受信方法では、周波数相関帯域幅は、受信レベルの周波数分布におけるピークとピークの間隔の半分及び／又はディップとディップの間隔の半分である。
【００４４】
　第６の発明に係るダイバーシチ受信方法では、周波数相関帯域幅は、受信レベルの周波数分布と、受信レベルの閾値との、交点の間隔に基づいて定められる。
【００４５】
　第７の発明に係るダイバーシチ受信方法では、周波数相関帯域幅は、受信レベルの周波数分布と、受信レベルの閾値との、交点同士の間隔の平均値、又は受信レベルの周波数分布と、受信レベルの閾値との、交点同士の間隔の中央値のいずれかである。
【００４６】
　これらの構成により、ダイバーシチ受信装置の移動や複雑で膨大な計算を行わなくとも、周波数相関帯域幅を精度良く近似でき、実用上十分なダイバーシチ効果が得られる。
【００４７】
　第８の発明に係るダイバーシチ受信方法では、閾値は、信号を構成する全サブキャリアの受信レベルの平均値、中央値、最大値又は最小値のうち、一種又は二種以上の組み合わせに基づいて定められる。
【００４８】
　この構成により、閾値を、実際の受信状態にあわせて、適切に設定できる。
【発明の効果】
【００４９】
　本発明によれば、次の効果がある。即ち、周波数相関帯域幅を、従来技術よりも少ない演算量で簡単に定めることができると共に、周波数相関帯域幅の精度は、従来技術とほぼ同等である。また、その結果を、マルチキャリア方式でのサブバンド分割ダイバーシチのサブバンド分割幅の決定に利用することで、サブキャリア毎にダイバーシチを行った場合とほぼ同等のダイバーシチ効果が得られる。
【００５０】
　サブバンド分割幅を求める計算は、トレーニングモード期間のみに限定されるので、分岐時間を超えれば、サブキャリア毎にダイバーシチを行うよりも計算量を削減できる。
【発明を実施するための最良の形態】
【００５１】
　以下、図面を参照しながら、本発明の実施の形態について説明する。
【００５２】
　（実施の形態１）
　本形態では、トレーニングモード期間において、１本のアンテナの受信信号を、周波数領域に変換し、周波数選択性フェージングディップ点（ディップ）の間隔を求め、この間隔の値を元にして周波数相関帯域幅を近似し、サブバンド分割幅を決定する。
【００５３】
　そして、トレーニングモード期間終了後に、このように決定された、サブバンド分割幅に基づいて、マルチキャリアの周波数帯域をサブバンドに分割し、サブバンド毎にダイバーシチを行う。
【００５４】
　図１は、本発明の実施の形態１におけるダイバーシチ受信装置のブロック図、図２は、周波数相関帯域幅の近似要領説明図である。
【００５５】
　図１において、従来技術における要素と、同様の要素については、同一符号を付すことにより、説明を省略する。
【００５６】
　図１において、間隔演算手段２は、レベル検出手段６から検出結果を入力し、図２に例示するような、受信レベルの周波数分布を求める。
【００５７】
　そして、間隔演算手段２２は、この分布において、受信レベルのディップ（フェージングディップ）の間隔を計算する。図２の例では、ディップＰ１、Ｐ２の間隔Ｌ１が求められる。
【００５８】
　周波数相関帯域幅演算手段２３は、レベル検出手段６、７が検出した受信レベル由来の情報に基づいて、サブバンド分割幅を定める。
【００５９】
　より詳しくは、周波数相関帯域幅演算手段２３は、間隔演算手段２２から、ディップの間隔（図２の例では間隔Ｌ１）を入力し、この間隔Ｌ１の１／２以下（但し正）の間隔Ｄ１を、周波数相関帯域幅として近似する。
【００６０】
　周波数相関帯域幅を、ディップの間隔の１／２以下（但し正）としたのは、次の理由による。例えば、図６のような波形の信号が受信された場合、遅延プロファイルから計算した周波数相関帯域幅は、約１３ＭＨｚであるが、本方式を利用して、複数のディップの間隔の中央値の１／２を求めると、１２．７Ｍｈｚとなり、遅延プロファイルから求めた周波数相関帯域幅とほぼ等しくなるからである。
【００６１】
　次に、図２を参照しながら、トレーニングモード期間中における、本形態のダイバーシチ受信装置の動作を説明する。
【００６２】
　まず、アンテナ１、２が信号を受信する。次に、時間−周波数変換手段３、４が受信した信号の二次変調を復調し、この信号を周波数領域に変換する。
【００６３】
　次に、レベル検出手段６が、サブキャリア毎に受信レベルを検出し、その検出結果が間隔演算手段２２に入力される。ここで、図３の例では、サブキャリアは、ｎ個存在する。
【００６４】
　そして、間隔演算手段２２は、上述したディップの間隔を求め、周波数相関帯域幅演算手段２３に出力する。
【００６５】
　そして、周波数相関帯域幅演算手段２３は、入力したディップの間隔に１／２以下（但し正）の係数をかけて、周波数相関帯域幅をサブバンド分割幅として、サブバンド分割手段２０、２１に出力する。
【００６６】
　これにより、簡単な計算で周波数相関帯域幅が精度良く近似でき、しかも、実際の受信状態を反映し、周波数相関が高い、サブバンド分割幅（本形態では、周波数相関帯域幅と等しいとしたが、これは必須ではない。）が定められる。
【００６７】
　なお、以上の説明では、受信レベルのディップのみを取り扱ったが、ピークなどを用いることもできる。
【００６８】
　次に、図４を用いて、トレーニングモード期間終了後における、本形態のダイバーシチ受信装置の動作を説明する。
【００６９】
　まず、アンテナ１、２が信号を受信する。次に、時間−周波数変換手段３、４が受信した信号の二次変調を復調し、この信号を周波数領域に変換する。
【００７０】
　次に、サブバンド分割手段２０、２１が、時間−周波数変換手段３、４の出力を、サブバンド毎にまとめて、出力する。ここで、サブバンド分割手段２０、２１が使用する、サブバンド分割幅は、上述した、トレーニングモード期間中に設定されたものである。
【００７１】
　次に、レベル検出手段６、７が、サブバンド毎に受信レベルを検出し、その検出結果がレベル比較手段８に入力される。そして、レベル比較手段８は、サブバンド毎に、受信レベルが大きいアンテナの系（本形態では、アンテナ１の系か、あるいは、アンテナ２の系のいずれか）を求め、その系を選択するように、選択手段５に指示する。これにより、サブバンド毎に、より受信レベルが高いアンテナに関する信号が、復調手段９に入力され、復調されることになる。
【００７２】
　ここで、サブバンドは、複数のサブキャリアを束ねたものであり、図４の例では、ｍ個のサブバンドが存在し、ｍ＜ｎである。つまり、レベル検出手段８は、ｎ個よりずっと小さいｍ個のサブバンドに関する比較を行えば足り、サブバンドで分割することにより、サブキャリア毎に処理する場合に比べ、計算量を大幅に削減できる。
【００７３】
　しかも、このように計算量を減らしても、サブバンド内での相関性が高く維持されているから、十分なダイバーシチ効果を得ることができる。
【００７４】
　図５は、本形態におけるダイバーシチ受信装置の計算量の時間変化を示すグラフである。図５において、実線は、本形態におけるダイバーシチ受信装置の計算量を示し、点線は、サブキャリア毎にダイバーシチを実施する場合の計算量を示す。
【００７５】
　本形態によれば、時刻ｔ０〜ｔ１におけるトレーニングモード期間中では、サブキャリア毎のダイバーシチよりも計算量が多くなるが、この期間は、そう長い期間ではない。
【００７６】
　その後、トレーニングモード期間を過ぎると、本形態のダイバーシチ受信装置は、サブバンド毎の処理に移行するため、単位時間あたりの計算量が小さくなる。そして、ある分岐時刻ｔ２において、本形態の計算量と、サブキャリア毎にダイバーシチを実施する場合の計算量とが、交差し、その後、実際に通信が盛んに行われる期間では、本形態によるダイバーシチ受信装置の方が、その計算量がより少なくなることが理解されよう。
【００７７】
　（実施の形態２）
　本形態では、１本のアンテナの受信信号を、周波数領域に変換し、閾値との大小関係を比較し、閾値を上回る周波数間隔を求め、その値を元にして周波数相関帯域幅を近似し、サブバンド分割幅を決定する。本形態では、実施の形態１との相違点のみを説明する。
【００７８】
　図７は、本発明の実施の形態２におけるダイバーシチ受信装置のブロック図、図８は、同周波数相関帯域幅の近似要領説明図である。
【００７９】
　図７において、図１に記載した要素と、同様の要素については、同一符号を付すことにより、説明を省略する。
【００８０】
　図７において、閾値比較手段２４は、受信レベルの周波数分布と、受信レベルの閾値との、交点の間隔を計算する。
【００８１】
　この閾値は、全サブキャリアの受信レベルの平均値、中央値、最大値又は最小値のうち、一種又は二種以上の組み合わせに基づいて定められる。
【００８２】
　閾値比較手段２４は、レベル検出手段６から検出結果を入力し、図８に例示するような、受信レベルの周波数分布を求める。
【００８３】
　そして、閾値比較手段２４は、この分布において、受信レベルの分布と、上述した閾値との交点の間隔を計算する。図８の例では、交点Ｐ３〜Ｐ４の間隔Ｌ２、交点Ｐ４〜Ｐ５の間隔Ｌ３等が求められる。
【００８４】
　周波数相関帯域幅演算手段２５は、閾値比較手段２４が計算した、交点の間隔に基づいて、サブバンド分割幅を定める。
【００８５】
　より詳しくは、周波数相関帯域幅演算手段２５は、閾値より上回る周波数間隔Ｌ３と同じかそれ以下（但し正）の間隔Ｄ２を、周波数相関帯域幅として近似する。
【００８６】
　周波数相関帯域幅を、この間隔Ｄ２と同じかそれ以下（但し正）としたのは、次の理由による。例えば、図１０のような波形の信号が受信された場合、遅延プロファイルから計算した周波数相関帯域幅は、約１０ＭＨｚである。本方式を利用すると、複数の、受信レベルの周波数分布と受信レベルの閾値（中央値）との交点の間隔の中央値は、約９．５ＭＨｚで、遅延プロファイルから求めた周波数相関帯域幅とほぼ等しくなるからである。
【００８７】
　次に、図９を参照しながら、トレーニングモード期間中における、本形態のダイバーシチ受信装置の動作を説明する。
【００８８】
　まず、アンテナ１、２が信号を受信する。次に、時間−周波数変換手段３、４が受信した信号の二次変調を復調し、この信号を周波数領域に変換する。
【００８９】
　次に、レベル検出手段６が、サブキャリア毎に受信レベルを検出し、その検出結果が閾値比較手段２４に入力される。ここで、図９の例では、サブキャリアは、ｎ個存在する。
【００９０】
　そして、閾値比較手段２４は、上述した交点の間隔Ｌ３を求め、周波数相関帯域幅演算手段２５に出力する。
【００９１】
　そして、周波数相関帯域幅演算手段２５は、入力した交点の間隔Ｌ３に「１」以下（但し正）の係数をかけて、周波数相関帯域幅をサブバンド分割幅として、サブバンド分割手段２０、２１に出力する。
【００９２】
　これにより、簡単な計算で周波数相関帯域幅が近似でき、しかも、実際の受信状態を反映し、周波数相関が高い、サブバンド分割幅が定められる。
【００９３】
　なお、トレーニングモード期間終了後につては、実施の形態１と同様であるため、説明を省略する。
【００９４】
　（実施の形態３）
本形態では、複数のアンテナの受信信号を、周波数領域に変換し、各アンテナの受信レベルの大小関係を比較し、一方のアンテナの受信レベルが大きくなる周波数幅、小さくなる周波数幅を求め、その値を元にして周波数相関が高い幅を計算し、サブバンド分割幅を決定する。本形態では、実施の形態１との相違点のみを説明する。
【００９５】
　図１１は、本発明の実施の形態３におけるダイバーシチ受信装置のブロック図、図１２は、同サブバンド分割幅の設定要領説明図である。
【００９６】
　図１１において、図１に記載した要素と、同様の要素については、同一符号を付すことにより、説明を省略する。
【００９７】
　図１１において、レベル比較手段２７は、アンテナ１、２における、受信レベルの周波数分布の、交点の間隔を計算する。
【００９８】
　サブバンド分割幅演算手段２６は、レベル比較手段２７が計算した、交点の間隔に基づいて、サブバンド分割幅を定める。
【００９９】
　レベル比較手段２７は、レベル検出手段６、７から検出結果を入力し、図１０に例示するような、受信レベルの周波数分布を求める。
【０１００】
　そして、レベル比較手段２７は、この分布において、複数の受信レベルの交点の間隔を計算する。図１２の例では、交点Ｐ７〜Ｐ８の間隔Ｌ４、交点Ｐ８〜Ｐ９の間隔Ｌ５等が求められる。
【０１０１】
　サブバンド分割幅演算手段２６は、レベル比較手段２７が計算した、交点の間隔Ｌ４，Ｌ５に基づいて、サブバンド分割幅を定める。
【０１０２】
　より詳しくは、サブバンド分割幅演算手段２６は、間隔Ｌ４等の１／２以下（但し正）の間隔を、サブバンド分割幅Ｄ３として算出する。
【０１０３】
　サブバンド分割幅Ｄ３を、この間隔Ｌ４等の１／２以下（但し正）としたのは、図１２のように、各アンテナの受信レベルが２波干渉の理想的な周波数選択性フェージングであって、互いの受信レベルの低下を補い合う場合、この範囲で、周波数相関係数が「０．５」以上になるからである。
【０１０４】
　次に、図１３を参照しながら、トレーニングモード期間中における、本形態のダイバーシチ受信装置の動作を説明する。
【０１０５】
　まず、アンテナ１、２が信号を受信する。次に、時間−周波数変換手段３、４が受信した信号の二次変調を復調し、この信号を周波数領域に変換する。
【０１０６】
　次に、レベル検出手段６、７が、アンテナ１、２のそれぞれについて、サブキャリア毎に受信レベルを検出し、その検出結果がレベル比較手段２７に入力される。ここで、図１３の例では、サブキャリアは、ｎ個存在する。
【０１０７】
　そして、レベル比較手段２７は、上述した交点の間隔Ｌ４を求め、サブバンド分割幅演算手段２６に出力する。
【０１０８】
　そして、サブバンド分割幅演算手段２６は、入力した交点の間隔Ｌ４に１／４以下（但し正）の係数をかけて、サブバンド分割幅を、サブバンド分割手段２０、２１に出力する。
【０１０９】
　これにより、簡単な計算で周波数相関帯域幅が近似でき、しかも、実際の受信状態を反映し、周波数相関が高い、サブバンド分割幅が定められる。
【０１１０】
　なお、トレーニングモード期間終了後については、実施の形態１と同様であるため、説明を省略する。
【産業上の利用可能性】
【０１１１】
　本発明に係るダイバーシチ受信装置は、例えば、無線ＬＡＮ等に好適に利用できる。
【図面の簡単な説明】
【０１１２】
【図１】本発明の実施の形態１におけるダイバーシチ受信装置のブロック図
【図２】本発明の実施の形態１における周波数相関帯域幅の近似要領説明図
【図３】本発明の実施の形態１におけるダイバーシチ受信装置の動作説明図（トレーニングモード期間中）
【図４】本発明の実施の形態１におけるダイバーシチ受信装置の動作説明図（トレーニングモード期間終了後）
【図５】本発明の実施の形態１におけるダイバーシチ受信装置の計算量の時間変化を示すグラフ
【図６】本発明の実施の形態１における受信レベルの周波数分布の例示図
【図７】本発明の実施の形態２におけるダイバーシチ受信装置のブロック図
【図８】本発明の実施の形態２における周波数相関帯域幅の近似要領説明図
【図９】本発明の実施の形態２におけるダイバーシチ受信装置の動作説明図（トレーニングモード期間中）
【図１０】本発明の実施の形態２における受信レベルの周波数分布の例示図
【図１１】本発明の実施の形態３におけるダイバーシチ受信装置のブロック図
【図１２】本発明の実施の形態３における周波数相関帯域幅の近似要領説明図
【図１３】本発明の実施の形態３におけるダイバーシチ受信装置の動作説明図（トレーニングモード期間中）
【図１４】従来のダイバーシチ受信装置（第１例）のブロック図
【図１５】従来のダイバーシチ受信装置（第２例）のブロック図
【図１６】（ａ）検討例における入力インパルスのグラフ　（ｂ）検討例における遅延プロファイルの例示図
【図１７】（ａ）検討例における測定結果の例示図　（ｂ）検討例における遅延プロファイルの例示図
【図１８】検討例における遅延プロファイルの例示図
【図１９】検討例における受信レベルの位置分布の例示図
【図２０】検討例における相関係数と周波数間隔の関係を示すグラフ
【符号の説明】
【０１１３】
１、２　アンテナ
３、４ 時間−周波数変換手段
５　選択手段
６、７ レベル検出手段
８　レベル比較手段
９　復調手段
１０、１１、２０、２１　サブバンド分割手段
２２　間隔演算手段
２３、２５　周波数相関帯域幅演算手段
２４　閾値比較手段
【図１】
2004147299.tif 000005
【図２】
2004147299.tif 000006
【図３】
2004147299.tif 000007
【図４】
2004147299.tif 000008
【図５】
2004147299.tif 000009
【図６】
2004147299.tif 000010
【図７】
2004147299.tif 000011
【図８】
2004147299.tif 000012
【図９】
2004147299.tif 000013
【図１０】
2004147299.tif 000014
【図１１】
2004147299.tif 000015
【図１２】
2004147299.tif 000016
【図１３】
2004147299.tif 000017
【図１４】
2004147299.tif 000018
【図１５】
2004147299.tif 000019
【図１６】
2004147299.tif 000020
【図１７】
2004147299.tif 000021
【図１８】
2004147299.tif 000022
【図１９】
2004147299.tif 000023
【図２０】
2004147299.tif 000024